(57)【要約】【課題】  回動式構造の蓋体に摩擦部を備えた筆記具であっても、摩擦操作時に蓋体が開放する等の操作阻害がなく、熱変色性インキによる筆跡を確実に摩擦変色させることができる操作性と利便性に優れた熱変色性筆記具を提供する。【解決手段】  軸筒の後部に、軸筒の後端を露出及び閉鎖する蓋体が具備される筆記具であって、前記軸筒の後部の側面に、軸筒の外面から突出した基部を形成し、前記蓋体の一端部に設けた係合部を前記基部に形成したヒンジ部に係合して前記蓋体を回動自在に係合し、且つ、前記蓋体の嵌合部を、前記軸筒の後端部に形成した被嵌合部に着脱自在に嵌合することで、軸筒の後端を露出及び閉鎖可能としており、前記蓋体が、熱変色性インキによる筆跡を摩擦する摩擦部を垂直方向に突出して備えるとともに、前記摩擦部に対して前記係合部の他端側になる位置に摩擦部の使用を規制する規制部を設けてなる。【選択図】  図３
2017039207.tif 000002
【特許請求の範囲】
【請求項１】
軸筒の後部に、軸筒の後端を露出及び閉鎖する蓋体が具備される筆記具であって、前記軸筒の後部の側面に、軸筒の外面から突出した基部を形成し、前記蓋体の一端部に設けた係合部を前記基部に形成したヒンジ部に係合して前記蓋体を回動自在に係合し、且つ、前記蓋体の嵌合部を、前記軸筒の後端部に形成した被嵌合部に着脱自在に嵌合することで、軸筒の後端を露出及び閉鎖可能としており、
前記蓋体が、熱変色性インキによる筆跡を摩擦する摩擦部を垂直方向に突出して備えるとともに、前記摩擦部に対して前記係合部の他端側になる位置に摩擦部の使用を規制する規制部を設けてなることを特徴とする熱変色性筆記具。
【請求項２】
前記規制部の垂直方向の高さが摩擦部の先端と略同一である請求項１に記載の熱変色性筆記具。
【請求項３】
前記規制部の側面が蓋体回動操作時の押圧部となる請求項１又は２に記載の熱変色性筆記具。
【請求項４】
前記規制部が蓋体と一体に形成されるとともに、前記摩擦部が蓋体に摩擦体を装着することで形成されることを特徴とする請求項１乃至３のいずれかに記載の熱変色性筆記具。
【発明の詳細な説明】
【技術分野】
【０００１】
本発明は熱変色性筆記具に関する。詳細には、軸筒後端部に開閉式の蓋体を備えた熱変色性筆記具に関する。
【背景技術】
【０００２】
従来、軸筒の後端部に、軸筒の後端を露出及び閉鎖する蓋体を具備してなる筆記具として、軸筒の後端に摺動溝を後方に開口させる開口部を設け、前記開口部から摺動体付筆記体を取り外し及び挿入可能とし、軸筒に設けたヒンジ部に前記開口部を閉鎖する蓋体を回動自在に装着した構成の筆記具が開示されている（例えば、特許文献１参照）。
また、前記構成の筆記具において、筆記体に熱変色性インキを収容した際の利便性を向上するために、前記蓋体外面に弾性材料からなる摩擦体を設け、該摩擦体で熱変色性筆跡を摩擦できる熱変色性筆記具が開示されている（例えば、特許文献２，３参照）。
【先行技術文献】
【特許文献】
【０００３】
【特許文献１】特開２００７−３８６３５号公報
【特許文献２】特開２０１０−２６０２１８号公報
【特許文献３】特開２０１３−９５０１６号公報
【発明の概要】
【発明が解決しようとする課題】
【０００４】
前記熱変色性筆記具では、熱変色性インキによる筆跡を摩擦する場合、蓋体に形成される摩擦体の先端近傍（凸曲面部）が紙面と接触した状態で往復擦過運動を繰り返すことで摩擦操作されるものである。その際、紙面と接触する摩擦体（摩擦部）の位置は限定されないため、摩擦操作時の方向性がないまま使用される。そのため、蓋体のヒンジ側と反対（対称）となる位置で摩擦体と紙面を接触させて摩擦操作を行った場合には、蓋体が容易に開放したり、ガタツキを生じることで摩擦操作を阻害することや、蓋体の開放により軸筒内に収容する摺動体付筆記体（レバー付レフィル）が飛び出すことがある。
【０００５】
本発明は、前記回動式構造の蓋体に摩擦部を備えた筆記具であっても、摩擦操作時に蓋体が開放する等の操作阻害がなく、熱変色性インキによる筆跡を確実に摩擦変色させることができる操作性と利便性に優れた熱変色性筆記具を提供するものである。
【課題を解決するための手段】
【０００６】
本発明は、軸筒の後部に、軸筒の後端を露出及び閉鎖する蓋体が具備される筆記具であって、前記軸筒の後部の側面に、軸筒の外面から突出した基部を形成し、前記蓋体の一端部に設けた係合部を前記基部に形成したヒンジ部に係合して前記蓋体を回動自在に係合し、且つ、前記蓋体の嵌合部を、前記軸筒の後端部に形成した被嵌合部に着脱自在に嵌合することで、軸筒の後端を露出及び閉鎖可能としており、前記蓋体が、熱変色性インキによる筆跡を摩擦する摩擦部を垂直方向に突出して備えるとともに、前記摩擦部に対して前記係合部の他端側になる位置に摩擦部の使用を規制する規制部を設けてなる熱変色性筆記具を要件とする。
更に、前記規制部の垂直方向の高さが摩擦部の先端と略同一であること、前記規制部の側面が蓋体回動操作時の押圧部となることを要件とする。
更には、前記規制部が蓋体と一体に形成されるとともに、前記摩擦部が蓋体に摩擦体を装着することで形成されることを要件とする。
尚、本発明において「前」とは、筆記具におけるペン先側であり、「後」とは、その反対側を示す。また、「下」とは、蓋体の軸筒側であり、「上」とはその反対側を示す。
【発明の効果】
【０００７】
本発明により、蓋体の摩擦部を介してヒンジ側と対称となる位置に、摩擦部の使用を規制する規制部を設けることで、蓋体が回動するための支点となるヒンジ部の他端側の摩擦部が摩擦操作時に使用できなくなり、必然的にヒンジ部側の摩擦部が使用される。そのため、軸筒の後端を露出、閉鎖する回動式蓋体に摩擦部を備えた熱変色性筆記具であっても、摩擦操作時に蓋体が開放したり、ガタツキを生じることで摩擦操作を阻害することがなくなるので、熱変色性インキによる筆跡を確実に摩擦変色させることができる操作性と利便性に優れたものとなる。更に、規制部の側面が蓋体開放時の押圧部を兼ねるため、より軽い力で蓋体を開放できる操作性の高いものとなる。
【図面の簡単な説明】
【０００８】
【図１】本発明の熱変色性筆記具の一例を示す外観図である。
【図２】図１の熱変色性筆記具の蓋体を開放した状態の外観図である。
【図３】図１の要部拡大斜視図である。
【図４】図１の筆記具での摩擦操作時の要部拡大斜視図である。
【図５】本発明の熱変色性筆記具の一例を示す外観図である。
【発明を実施するための形態】
【０００９】
本発明の熱変色性筆記具の実施形態について図面を用いて説明するが、本発明はこれらに限定されるものではない。
【００１０】
＜第一の実施形態＞
図１乃至４に示す第一の実施形態の熱変色性筆記具１は、前軸２と後軸３を螺合により取り付けられる軸筒本体内に複数本（五本）の筆記体が前後方向に移動可能に収容されている。筆記体の後部には、筆記体のインキ収容筒に収容した熱変色性インキの着色状態と同色（黒色）の摺動体９が配設してあり、筆記体はコイルスプリングにより後方に付勢される。尚、筆記体について詳細は図示していないが、前述の構成と同様にして他の四本の摺動体付筆記体を配設した従来から知られている出没機構のスライド式の多芯筆記具である。
【００１１】
前記筆記体はボールペンレフィルであり、具体的には、インキ収容筒の先端部にボールが回転可能に抱持されたペン先部を装着し、インキ収容筒の内部には、黒色から加熱により透明になる剪断減粘性を有する熱変色性インキ及びインキ追従体を直に収容している。他の四本の筆記体も同様に、インキ収容筒の先端部にボールペンチップからなるペン先部を装着し、各筆記体で色の異なる熱変色性インキとともにインキ追従体を直に収容したボールペンレフィルである。尚、筆記体としては、熱変色性インキを収容したものが少なくとも一本収容されていればよく、前述のボールペンレフィルの他に非熱変色性の水性インキ、油性インキ、エマルションインキを収容したボールペンチップやマーカーチップを備えたレフィルや、シャープペンユニットが適用できる他、消しゴムユニットやタッチペンユニット等を用いることもできる。
【００１２】
前記熱変色性インキとしては、摩擦部８による擦過加熱（摩擦熱）で色変わりするものであれば可逆熱変色性、不可逆熱変色性を問わず使用でき、例えば、剪断減粘性を有する水性ゲルインキ、低粘度の水性インキ、低粘度の油性インキ、高粘度の油性インキ、エマルションインキ等、チップの種類に応じて汎用のインキが適用できる。尚、インキに添加される熱変色材料（着色剤）の高温側変色点（即ち、加熱により変色する温度）としては、４５〜９５℃の範囲に設定することが好ましく、特に、摩擦熱での変色・消去性を考慮すると６０〜８５℃がより好ましい。
また、前記熱変色性インキには、着色剤として熱変色材料とともに、汎用の染料、顔料、金属光沢調顔料、蛍光顔料、酸化チタン、フォトクロミック材料等を用いることもできる。
【００１３】
後軸３の後部には、前後方向に延びる細長状の摺動溝が五本形成されており、互いに略等間隔に形成される。また、各摺動溝は、後方が開口しており、後軸３の後端で連通する開口部を有している。
尚、図示はしていないが、後軸３の内部には、略円筒状のスプリング支持部を固着している。スプリング支持部は、五本の筆記体が挿通される内孔が軸方向に貫設し、スプリング支持部と、各々の摺動体９，１０，１１間には、コイルスプリングが配置し、筆記体及び摺動体を後方に付勢している。
【００１４】
後軸３の後部（二本の摺動溝の間）には、長手方向に沿って延びる凹状の装着溝が形成してあり、この装着溝にクリップ７を付設してある。尚、クリップ７は、落とし込み嵌合によって後軸３に固設してある。
また、クリップ７の後部には、軸筒外面から突出するように基部７ａが延設され、基部７ａの外面を挟持する対称位置に円形凹孔状のヒンジ部７ｂが形成してある。このヒンジ部７ｂに、ポリアセタールからなる略円盤状の蓋体５の一端部に設けた、クリップ７を正面から見て左右に延出する係合部５ａを係合し、蓋体５を回動自在に係合してあり、前記蓋体５を回動することで、後軸３の後端３ａを露出することができる。具体的に、係合部５ａの係合位置には、基部７ａの外面を挟持する対称位置に円柱状突起が形成されており、ヒンジ部７ｂとの係合状態（枢着）を維持している。
【００１５】
また、蓋体５の軸方向の中央には、嵌合部となる貫通孔が形成され、その内方には嵌合用の突起が形成されている。蓋体５が後軸３の後端３ａを閉鎖する際、後軸３の後端部に軸方向に形成した、後方に向かって突出する被嵌合部３ｄに、嵌合部（突起）を乗り越え嵌合することで、蓋体５を後軸３に対して開閉自在に嵌合している。
【００１６】
更に、前記蓋体５には、ポリカーボネートからなる略ドーム型の頭冠４が装着してあり、更にその頂部には、ＳＥＢＳ製の砲弾型摩擦体８が装着されている。
具体的には、頭冠４の一方の側壁（ヒンジ側）は略垂直に面取りされた平面部として形成され、頭冠装着時に、蓋体５より上方に延設される支持部の支持平面と一部を接触した状態となる。尚、前記支持部は、蓋体５の係合部５ａ側に、蓋体から垂直方向に延設されることで、径方向の押力を軸方向の嵌合解除力に変換するものである。
【００１７】
また、前記ヒンジ側側壁と摩擦体８を挟んで略対称位置になる他方の側壁（即ち、蓋体５の係合部５ａの他端側）には、円柱状の規制部６が頭冠４と一体に成形されることで設けられている。
前記規制部６は、摩擦体８の頂部と略同じ高さで非接触状態に延設されており、その側面が押圧操作時に指先が接触する押圧部６ａとして作用する（図３参照）。尚、前記押圧部６ａには、押圧開放操作時の最適な箇所を示す位置表示や、指先のグリップ性を向上するための窪みや凹凸、溝等を設けることもできる。
前記規制部６を設けることで、ユーザーが紙面の熱変色性筆跡を摩擦体８で擦過する際、規制部６が紙面に接触することを自然と避けるため、摩擦体８のヒンジ側を摩擦部（紙面Ｐと接触する部分）として使用するようになる。そのため、強い力での押圧や擦過によっても蓋体５が開放する虞がなくなるとともに、ヒンジ部が安定した構造で蓋体を支持してガタツキも抑制される（図４参照）。
尚、前記規制部６は、該規制部側の摩擦体８が摩擦時に紙面と接触しないために形成されるものであり、前記目的を成せば形状や材質等は特に限定されるものではない。
【００１８】
前記摩擦体（摩擦部）８は、摩擦熱によって筆跡を消色又は変色させるための摩擦部分が頭冠４や蓋体５の全体又は部分的に配置されるものであればよく、別体を頭冠４や蓋体５に装着する他、二色成形等で一体に形成したり、頭冠４や蓋体５自体を摩擦体８としてもよい。
前記摩擦体としては、弾性感に富み、摩擦時に適度な摩擦を生じて摩擦熱を発生させることのできるエラストマーや、プラスチック発泡体等の弾性体が好適である。
前記摩擦体（摩擦部）の材質としては、オレフィン系、スチレン系、ウレタン系、ポリエステル系、フッ素系等の熱可塑性エラストマーや、シリコーン系、エポキシ系、ウレタン系、メラミン系、尿素系、フェノール系等の弾性樹脂材料が挙げられ、特に、シリコーン樹脂やＳＥＢＳ樹脂（スチレンエチレンブチレンスチレンブロック共重合体）、ＳＢＳ樹脂（スチレンブタジエンスチレン共重合体）、ポリエステル系樹脂等が好適に用いられる。更に、成形性を考慮し、ポリプロピレン樹脂及びスチレン系熱可塑性エラストマーの混合物、ポリプロピレン樹脂及びポリプロピレン系熱可塑性エラストマーの混合物等、硬質樹脂と弾性材料のブレンド物を適用することもできる。尚、消しゴムを使用して筆跡を摩擦することもできるが、摩擦時に消しカスが発生するため、前述の弾性体が好適に用いられる。
【００１９】
軸筒内に収容する筆記体のペン先部（ボールペンチップ）を前軸２の先端開口部２ａから突出させるには、摺動体９の操作部９ａを、摺動溝に沿って、前軸２の先端開口部２ａ方向へスライドすることにより、摺動体９に形成した係合突起が後軸３内に形成した係止部に係止して、筆記体のペン先部を前軸の先端開口部２ａから選択して突出を維持することができる。また、摺動体９には解除突起が設けてある。
筆記体のペン先部が先端開口部２ａからの突出を維持した状態で、他の摺動体１０，１１の操作部１０ａ，１１ａを前軸２の先端開口部２ａ方向にスライドすることで、摺動体１０，１１の解除突起が、スリーブを介して摺動体９の係止を解除し、先に突出していた筆記体のペン先部を前軸２内に没入させることができる。
【００２０】
筆記体を交換する場合、蓋体５が後軸３の後端３ａを閉鎖した状態から、規制部６の押圧部６aをヒンジ側に押圧（図３の矢印Ｆ方向）し、蓋体５の嵌合部と後軸３の被嵌合部３ｂとの嵌合を解除し、蓋体５を回動させて後軸３の後端３ａを露出させる。この時、蓋体５は、規制部６（押圧部６a）を親指の腹等の指先で押圧操作することにより容易に嵌合解除できるため、爪の長さや指の力に関係なく交換作業を効率的に行うことが可能となる。
【００２１】
嵌合解除された蓋体５を回動し、後軸３の後端３ａが露出すると、摺動溝から各々の摺動体９，１０，１１（その他図示せず）が、コイルスプリングの後方付勢により後方外部に突出される。この状態から摺動体９を筆記具本体内から取り出すことにより、その摺動体９と互いに連結状態にある筆記体（摺動体付筆記体）を後軸３から取り出し、その後、互いに連結状態にある新たな筆記体と新たな摺動体とを後端が開口した摺動溝から後軸３内に挿入する。そして、蓋体５を前方（ヒンジ部反対側）に回動させ、その後、蓋体５の嵌合部と後軸３の被嵌合部３ｂとを嵌合して、後軸３の後端３ａを閉鎖する。これにより、筆記体及び摺動体の交換作業が終了するため、ユーザーが好みの筆記体とそれに対応した摺動体を軸筒内に交換可能に収容でき、しかも、筆記体及び摺動体を迅速且つ確実に交換することができる。
【００２２】
＜第二の実施形態＞
図５に示す第二の実施形態の熱変色性筆記具１は、前軸２と後軸３を螺合により取り付けられる軸筒本体内に複数本（三本）の筆記体が前後方向に移動可能に収容されている。更に筆記体の後部には、軸筒後端を開閉する蓋体が設けられている。その他、蓋体５以外の構造、構成は第一の実施形態と略等しいため、説明を省略する。
【００２３】
前記蓋体５は、略中心位置にスチレン系エラストマー製の砲弾型摩擦体８が装着されている着色ポリアセタール樹脂製の成形物であり、クリップ７を正面から見て左右に延出する係合部５ａが一端部に設けられ、他端部には、垂直方向上側に延設される規制部６が設けられている。前記規制部６は、摩擦体８を介して係合部５ａと略対称となる位置に、摩擦体８の頂部と略同じ高さで垂直方向上側に延出されており、径方向の押力Ｆを軸方向の嵌合解除力に変換するものである。尚、本実施例では蓋体に一体成形されているが、別体で形成したものを蓋体に取り付けて使用することもできる。
【００２４】
更に、前記規制部６の外面（ヒンジ側と略対称位置になる側壁）は、蓋体開放時の押圧操作を行う際に、指先が安定接触する押圧部６ａとして作用し、本実施例では、窪状の指掛部が形成されている。尚、押圧部６ａとなる箇所に指掛部等を形成することは必須ではないが、押圧開放操作時の最適な箇所を示す位置表示となるとともに、指先のグリップ性が向上するため、形成することが好ましい。また、前記指掛部は立体形状であれば窪状に限らず、各種形状の突起や段部を成形時に設けることで形成される他、印刷、貼着、転写等の手段による後処理形成で設けることもできる。更に、前記形状等が摩擦操作箇所を表示する矢印等の記号とすることもできる。
【００２５】
前記規制部６を備えた蓋体５は、軸筒外面から突出するようにクリップ７の後部から延設された基部７ａ（具体的には、基部７ａ外面を挟持する対称位置に形成される凹孔状のヒンジ部７ｂ）に対して、係合部５ａを係合することで、蓋体５を回動自在に係合しており、更に蓋体５を回動することで、後軸３の後端３ａを露出することができる。具体的に、係合部５ａの係合位置には、基部７ａの外面を挟持する対称位置に円柱状突起が形成されており、ヒンジ部７ｂとの係合状態（枢着）を維持している。
【００２６】
また、蓋体５の軸方向の略中央（軸筒の軸心近傍）には、摩擦体８が二色成形により設けられており、前記摩擦体８は砲弾型の先端側が摩擦部となるとともに、後端側が軸筒との嵌合部となるように貫通孔が形成されている。前記嵌合部は、蓋体５が後軸３の後端３ａを閉鎖する際、後軸３の後端部に軸方向に形成した、後方に向かって突出する被嵌合部に乗り越え嵌合することで、蓋体５を後軸３に対して開閉自在に嵌合している。
【００２７】
前記構造において、規制部６は蓋体５の開放操作部であるとともに、摩擦体８の摩擦部を一定箇所に規制する役割を果たしている。そのため、ユーザーが紙面の熱変色性筆跡を摩擦体８で擦過する際、自然と規制部６を避けることで、摩擦体８のヒンジ側を摩擦部（紙面Ｐと接触する部分）として使用するようになる。これにより、強い力での押圧や擦過によっても蓋体５が開放する虞がなくなるとともに、ヒンジ部が安定した構造で蓋体を支持して擦過動作時のガタツキも抑制される。
【符号の説明】
【００２８】
１  熱変色性筆記具
２  前軸
２ａ  先端開口部
３  後軸
３ａ  後端
３ｂ  被嵌合部
４  頭冠
５  蓋体
５ａ  係合部
６  規制部
６ａ  押圧部
７  クリップ
７ａ  基部
７ｂ  ヒンジ部
８  摩擦体（摩擦部）
９，１０,１１  摺動体
９ａ，１０ａ，１１ａ  操作部
Ｆ  押圧時の力
Ｆ′  摩擦時の力
Ｐ  紙面
【図１】
2017039207.tif 000003
【図２】
2017039207.tif 000004
【図３】
2017039207.tif 000005
【図４】
2017039207.tif 000006
【図５】
2017039207.tif 000007